(57)【要約】【課題】  従来、浴槽に取り付けられているシャワーの保持具は１ヶ所もしくは２ヶ所にネジ等で固定されており、利用者の体型によっては固定したままでシャワーを浴びることが出来ないために、手持ちをすることで片手をふさがれる不自由さがあった。  またさらに疲労回復やストレス解消のために温熱シャワーを肩などに長く浴びる場合は浴槽内で固定して利用したくとも、浴槽内での利用はできないなどの不自由なことが多かった。【解決手段】  シャワーの保持具をネジなどによる壁への固定式とせずに、保持具の裏面に吸盤を取り付け、任意の場所に取り付け取り外しが簡単に行えるようになり、利用者の体型に左右されず、誰も一番便利な位置で両手を放してシャワーを頭髪、身体の清浄や疲労回復、ストレス解消に便利に利用できる。【選択図】  図７
2005042519.tif 000002
【特許請求の範囲】
【請求項１】
シャワーの保持具を壁などへ取り付ける方法は吸盤体であり、シャワーヘッドと保持具のフック部分とを嵌着し、この一体となったシャワーヘッドと保持具を、吸着、開放ボタンを操作することで同時に取り付け取り外して、シャワーの利用位置を自在に変動できる事を特徴とするシャワーの固定保持具。
【請求項２】
シャワーヘッドを保持する保持具のフック部分は、動物、植物、乗り物、人物などを模して形成することで、意匠性を持たせたことを特徴とする請求項１のシャワーの固定保持具。
【請求項３】
シャワーヘッドのフック部分は自由に回転して、シャワーの吐出水の方向を変えられることを特徴とする請求項１および請求項２に記載のシャワーの固定保持具。
【発明の詳細な説明】
【発明の詳細な説明】
【技術分野】
【０００１】  本発明は、シャワーヘッドとシャワーの保持具とを一体として嵌着し，吸盤体によって壁の任意の位置に簡単に取り付け取り外しができることで、利用者が最も良い位置と角度でシャワーを利用し、なおかつ保持具には意匠性も付与したことを特徴とするシャワーの固定保持具に関する。
【背景技術】
【０００２】  従来、シャワーは壁にビスなどで固定して取り付けられている専用の保持具に、シャワーのヘッド部分を引っかけて保持していたために、シャワーの位置とノズルからの吐出水の方向は一定で、利用者の体型によってはシャワーを浴びる際に不自由さがあった。【０００３】  また、シャワーの保持具の位置は、通常では洗い場の位置にあり、浴槽内でシャワーを浴びたり、浴槽の掃除をする場合にはシャワーを手持ちする必要が生じ、両手を自由に使うことが出来なかった。【０００４】  このために、自由な位置でシャワーを保持できる特許２９６４３８７号の吸盤を利用した保持具が商品化（商品名−ラウンドハンガーシャワー用）されているが、これは利用位置に予め保持具を吸盤を吸着させる操作軸により固定して、そこへシャワーをひっかける方法であった。【０００５】  この方法は、操作軸を操作して保持具を壁に吸着固定するために、取り付け取り外しには、保持具からシャワーヘッドを着脱する必要があり、頻繁に位置を変えることは煩雑であり、また、シャワーの吐出水の方向も下方へと一定であった。【０００６】  さらに、この保持具を含めて従来の保持具のほとんどすべてがシャワーヘッドを保持する目的だけの実用本位であり、浴室内をなごませるような、また、幼児たちが入浴を好むような意匠性を付与したものはなかった。
【発明が解決しようとする課題】
【０００７】  このように取り付け位置が固定されている従来のシャワーの保持具は、シャワーの吐出水の位置が不適当である場合は手持ちして、またその後商品化された取り外しのできるものも予め適当な位置に固定させて利用しなければならない煩雑さがあり、利用者がもっと簡単に任意の位置で簡単にシャワーヘッドを取り付け取り外しができる方法が求められていた。
【課題を解決する為の手段】
【０００８】  上記の課題を解決する為になされた本発明は、シャワーヘッドと保持具を嵌着して一体とし、シャワーヘッドごと任意の場所に移動して取り付け、取り外しができるシャワーの保持具を提供し、さらに吐出水の方向も調整を可能とし、意匠性をも付与したことを特徴とする。
【発明を実施するための最良の形態】
【０００９】  本発明は、シャワーの保持具の裏面に吸盤体を設け、任意の場所にシャワーヘッドと保持具を嵌着して一体として、引き金型の着脱操作治具により吸着固定し、体型や使用部位に合わせシャワーを利用できる事を特徴とする。
【実施例】
【００１０】  以下に本発明の実施例を述べるが、例示は単に本考案の説明の為であり、発明思考の限定を意図するものではない。【００１１】  保持具は、シャワーヘッドを嵌着し、または着脱もできるフックを設け、このフックは金属の場合は表層を樹脂やゴムなどのように微伸縮する材料でコーティングし、または樹脂やゴムなどによって形成され、シャワーヘッドのガタつきを防ぎ、使用中の水圧や利用者が触れた程度で脱落しないように、ラッパ状やリング状とする。【００１２】  シャワーの保持具の背面にシャワーとホースの重量（約３ｋｇ）を固定し保持できる吸着力の吸盤体を取り付ける。
固定部の吸盤は、シャワーヘッドを嵌着したまま取り付け、取り外すことが出来るように、シャワーヘッドをつかんだまま操作できる引き金型の吸盤体の着脱機構を設ける。【００１３】  引き金型の吸盤体の着脱機構（図参照）は、シャワーヘッドの背中側にあたる保持具の裏面に設け、保持具に嵌着したシャワーヘッドとともにつまんで引くことで吸盤機能は解除され、放すことで吸盤機能が働き吸着される機構とする。【００１４】  保持具の材質は、樹脂に限らず、金属、ゴムなどシャワーを支持できて、水分で劣化せずに、温水に耐える材質のものであり、吸盤はシャワーヘッドを落下せずに保持でき、壁の下地を傷つけずに利用できる樹脂やゴムなどであればよい。【００１５】  保持具のフックは吸盤の固定部を軸として、フリージョイントなどにより壁と水平に回転を可能とする。【００１６】  これらの保持具には、着色や模様づけ、あるいは動物、植物、乗り物、人物などを模して形成することで意匠的効用を付与する。
【発明の効果】
【００１７】  シャワーヘッドと保持具を任意の場所で取り付け、取り外しができる事で、体型や使用部位に関わらず一番便利な位置でシャワーを使用する事が出来る。
【図面の簡単な説明】
【００１８】
【図１】保持具のフック部と引き金型治具（Ａ）と吸盤体の側面図（吸着時）
【図２】保持具のフック部と引き金型治具（Ａ）と吸盤体の側面図（脱着時）
【図３】保持具のフック部と引き金型治具（Ｂ）と吸盤体の側面図（吸着時）
【図４】保持具のフック部と引き金型治具（Ｂ）と吸盤体の側面図（脱着時）
【図５】動物を模した保持具のフック部の正面図
【図６】動物を模した保持具のフック部の斜視図
【図７】動物を模した保持具にシャワーヘッドを保持した側面図
【符号の説明】
【００１９】１  シャワーヘッドノズル部
２  吸盤体
３  シャワーノズルの取り付けフック部
４  吸盤体の着脱トリガー部
５  フリージョイント部
６  スプリング
【図１】
2005042519.tif 000003
【図２】
2005042519.tif 000004
【図３】
2005042519.tif 000005
【図４】
2005042519.tif 000006
【図５】
2005042519.tif 000007
【図６】
2005042519.tif 000008
【図７】
2005042519.tif 000009